(57)【要約】【課題】集塵機を使用しないで切粉を容易に集塵でき、集塵率が低下せず、集塵容量を確保し簡単に切粉の廃棄ができ、作業現場を汚しにくい集塵丸のこを提供することである。【解決手段】ソーカバー４の切粉排出口４ａと係合可能な筒形形状をした係合部５ａと、係合部５ａに対して移動不能に設けられた取付け部５ｂと、取付け部５ｂに対して着脱可能に設けられ、外壁に複数の切欠き窓５ｄを有したボックス部５ｃとからなり、ボックス部５ｃ内部に適宜な目粗さを有した紙袋６あるいは合成繊維製フィルター袋６を着脱可能な集塵ボックス５ｃを切粉排出口４ａに着脱可能に設けた。【選択図】  図１
2005022338.tif 000002
【特許請求の範囲】
【請求項１】
電動機と、該電動機を収納するハウジングと、前記電動機により駆動されるのこ刃と、前記ハウジングと連結して前記ハウジング下方に位置し、切断作業時に被切断材上を摺動可能な底面を有するベースと、前記ハウジングと連結され、前記のこ刃のほぼ半分を覆う形状をし、一部に切粉排出口を備えたソーカバーとを有する集塵丸のこであって、
前記切粉排出口と係合可能な筒形形状をした係合部と、該係合部に対して移動不能に設けられた取付け部と、該取付け部に対して着脱可能に設けられ、外壁に複数の切欠き窓を有したボックス部とからなり、前記ボックス部内部に適宜な目粗さを有した紙袋あるいは合成繊維製フィルター袋を着脱可能な集塵ボックスを前記切粉排出口に着脱可能に設けたことを特徴とする集塵丸のこ。
【請求項２】
電動機と、該電動機を収納するハウジングと、前記電動機により駆動されるのこ刃と、前記ハウジングと連結して前記ハウジング下方に位置し、切断作業時に被切断材上を摺動可能な底面を有するベースと、前記ハウジングと連結され、前記のこ刃のほぼ半分を覆う形状をし、一部に切粉排出口を備えたソーカバーとを有する集塵丸のこの前記切粉排出口に着脱可能に取付けられる集塵丸のこ用集塵ボックスであって、
前記切粉排出口に係合可能な筒形形状をした係合部と、該係合部に対して移動不能に設けられた取付け部と、該取付け部に対して着脱可能に設けられ、外壁に複数の切欠き窓を有したボックス部とからなり、前記ボックス部内部に適宜な目粗さを有した紙袋あるいは合成繊維製フィルター袋を着脱可能としたことを特徴とする集塵丸のこ用集塵ボックス。
【請求項３】
前記取付け部は前記ボックス部外形よりも若干大きく、前記ボックス部端面を収納する収納部を有し、前記紙袋あるいはフィルター袋の一部を前記収納部と前記ボックス部端面とで挟持することにより、前記ボックス部内部に前記紙袋あるいはフィルター袋を保持可能としたことを特徴とする請求項２記載の集塵丸のこ用集塵ボックス。
【発明の詳細な説明】
【０００１】
【発明の属する技術分野】
本発明は、集塵丸のこ及び集塵丸のこ用集塵ボックスに関し、特に切粉排出口を有する集塵丸のこ及び切粉排出口に着脱可能に取付けられる集塵丸のこ用集塵ボックスに関するものである。
【０００２】
【従来の技術】
従来技術を図９〜図１２を用いて説明する。
【０００３】
図９は手持ち形電動工具の１つである集塵丸のこ１に、集塵機７のダクトホース８を接続し、被切断材１０を切断する際に発生する切粉９を集塵機７で集塵しながら切断している作業状態を示す。
【０００４】
図１０及び図１１は、被切断材１０を切断した際に発生する切粉９を蓄積する集塵ケース１１を備えた集塵丸のこである。
【０００５】
図に示す集塵丸のこは、図１０に示すように回転駆動するのこ刃２で切断した切粉９をのこ刃２の回転による慣性力とのこ刃２の回転により発生する空気流とにより、切粉排出口１３方向に跳ね上げ、集塵ケース１１内へ切粉９を導き溜める方式である。
【０００６】
図１２は被切断材８を切断した際に発生する切粉９を蓄積する布製集塵袋１４を取りつけた集塵丸のこを示す。該集塵丸のこは、図１２に示すように回転駆動するのこ刃２で切断した切粉９をのこ刃２の慣性力とのこ刃２により発生する空気流により、切粉排出口４ａ方向に導き、集塵袋１４内へ切粉９を溜める方式である。
【特許文献１】
特開平８−３００３０７号公報
【特許文献２】
実開昭６１−１０６３２２号公報
【０００７】
【発明が解決しようとする課題】
図９に示すように集塵機を用いて切粉を集塵する場合は集塵機も一緒における作業スペースが必要であり狭い場所での作業は困難である。
【０００８】
また、ちょっとした切断作業をする場合でも集塵機７を接続しなければいけない煩わしさがある。
【０００９】
図１０に示すような集塵ケース１１を備えた集塵丸のこの場合、外部に切粉が漏れないように集塵ケースは密閉しており、切粉９を送りこむためののこ刃２より発生する空気流によりケース内圧が上昇し集塵率が低下してくるとともに集塵ケース容量の７０％程度しか集塵できない、切粉を廃棄する場合製品本体を振りながら切粉をケースから排出する必要があるという欠点があった。
【００１０】
図１２に示すような布製集塵袋を集塵丸のこに取りつけた場合、切粉が集塵袋の布の網目隙間から外部にもれたり、切粉を捨てる場合に集塵袋から取り出し難い、集塵袋がすぐに汚れてしまう欠点があった。
【００１１】
本発明の目的は、上記した従来技術の欠点をなくし、集塵機を接続しなくとも容易に効率よく集塵作業ができ、集塵率が低下せず、集塵した切粉を簡単に廃棄できるようにすることである。
【００１２】
【課題を解決するための手段】
上記目的を達成するために、本発明は、電動機と、該電動機を収納するハウジングと、前記電動機により駆動されるのこ刃と、前記ハウジングと連結して前記ハウジング下方に位置し、切断作業時に被切断材上を摺動可能な底面を有するベースと、前記ハウジングと連結され、前記のこ刃のほぼ半分を覆う形状をし、一部に切粉排出口を備えたソーカバーとを有する集塵丸のこであって、前記切粉排出口と係合可能な筒形形状をした係合部と、該係合部に対して移動不能に設けられた取付け部と、該取付け部に対して着脱可能に設けられ、外壁に複数の切欠き窓を有したボックス部とからなり、前記ボックス部内部に適宜な目粗さを有した紙袋あるいは合成繊維製フィルター袋を着脱可能な集塵ボックスを前記切粉排出口に着脱可能に設けた集塵丸のこを提供している。
【００１３】
また、上記目的を達成するために、本発明は、電動機と、該電動機を収納するハウジングと、前記電動機により駆動されるのこ刃と、前記ハウジングと連結して前記ハウジング下方に位置し、切断作業時に被切断材上を摺動可能な底面を有するベースと、前記ハウジングと連結され、前記のこ刃のほぼ半分を覆う形状をし、一部に切粉排出口を備えたソーカバーとを有する集塵丸のこの前記切粉排出口に着脱可能に取付けられる集塵丸のこ用集塵ボックスであって、前記切粉排出口に係合可能な筒形形状をした係合部と、該係合部に対して移動不能に設けられた取付け部と、該取付け部に対して着脱可能に設けられ、外壁に複数の切欠き窓を有したボックス部とからなり、前記ボックス部内部に適宜な目粗さを有した紙袋あるいは合成繊維製フィルター袋を着脱可能とした集塵丸のこ用集塵ボックスを提供している。
【００１４】
【発明の実施の形態】
本発明集塵丸のこ及び集塵丸のこ用集塵ボックスを図１〜図８を用いて説明する。
【００１５】
図１及び図２は本発明集塵丸のこの全体構成を示し、その構成は、図示しない電動機を内蔵したハウジング１と、電動機により回転駆動されるのこ刃２と、ハウジング１と連結してハウジング１下方に位置し、切断作業時に被切断材１０上を摺動可能な底面を有するベース３と、ハウジング１と連結され、のこ刃２のほぼ半分を覆う形状をし、一部に切粉排出口４ａを備えたソーカバー４とを有する構成をしている。
【００１６】
被切断材１０の切断作業時には、のこ刃２で切断した切粉９がのこ刃２の回転による慣性力とのこ刃２の回転により発生する空気流とにより、切粉排出口４ａを介してソーカバー４外方に排出される構成をしている。
【００１７】
図に示す様に集塵丸のこには、係合部５ａ、取付け部５ｂ及びボックス部５ｃを有する構成をした集塵ボックス５が取付けられており、集塵ボックス５は係合部５ａが切粉排出口４ａに係合することにより集塵丸のこに着脱可能に取付けられる。
【００１８】
集塵ボックス５の係合部５ａは、切粉排出口４ａと同様に筒形形状をしており、且つ図４に示す様にＬ字形の形状をしている。係合部５ａの内径寸法は切粉排出口４ａの外形寸法とほぼ同寸法に形成されており、両者は摩擦力によって係合している。なお、係合部５ａ及び切粉排出口４ａの断面が円形形状をしており、係合部５がＬ字形の形状をしていることにより、切粉排出口４ａに対して集塵ボックス５を任意の位置で位置決めすることができる。これにより、作業状況等に応じて集塵丸のこ１に対する集塵ボックス５の位置を変更することができ、作業性の低下を抑制することができるようになる。
【００１９】
取付け部５ｂは、図５に示す様に係合部５ａの外周上に位置し、係合部５ａの段差部分と、係合部５ａ外周に設けられるゴムリング５ｅとによって係合部５ａに対する取付け部５ｂの移動が阻止されている。
【００２０】
取付け部５ｂは断面がほぼコ字状の形状をしており、同じく断面がほぼコ字状の形状をしたボックス部５ｃを着脱可能に保持する構成をしている。図５に示す様に、取付け部５ｂの開放側とボックス部５ｃの開放側とが対面するように、ボックス部５ｃは取付け部５ｂに取り付けられ、取付け部５ｂはボックス部５ｃの端部付近の外周を覆う形状をしており、取付け部５ｂに設けられた係合部５ｆとボックス部５ｃ外周に設けられた係合部５ｇとが係合することにより、取付け部５ｂに対してボックス部５ｃが移動不能に取り付けられる。
【００２１】
図に示す様にボックス部５ｃには、複数の切欠き窓５ｄが設けられている。このため、係合部５ａ内部を通り、ボックス部５ｃ内部に流入した空気は複数の切欠き窓５ｄから集塵ボックス５外部に排出される。
【００２２】
ボックス部５ｃ内部には、図５及び図７に示すようにほぼボックス部５ｃの内壁形状と同形状をした適宜な目粗さを有する紙袋６が収納される。適宜な目粗さとは、内部より空気が排出可能で、且つ大半の切粉が排出不能な程度であり、適当なものとして、和紙製の紙袋等が挙げられる。
【００２３】
紙袋６は長手方向寸法がボックス部５ｃの長手寸法よりも若干大きな寸法を有し、その端部がボックス部５ｃの端部外周に位置するように折り返されて、ボックス部５ｃ内部に収納される。
【００２４】
紙袋６は、ボックス部５ｃが取付け部５ｂに取付けられた際に、端部付近がボックス部５ｃの端部と取付け部５ｂの内壁とで挟持される。
【００２５】
なお、紙袋６の変わりに合成繊維製のフィルター袋などでも良い。
【００２６】
図１及び図２に示す様に、集塵丸のこに集塵ボックス５を取り付けた状態で切断作業を行うと、切断作業時に発生し切粉排出口４ａを介してソーカバー４外方に排出された切粉９は空気流と共に、係合部５ａを介してボックス部５ｃ内に排出される。ボックス部５ｃ内に排出された空気流は、紙袋６及び複数の切欠き窓５ｄを介して集塵ボックス５外部に排出されるが、切粉９は紙袋６内に蓄積される。
【００２７】
このため、紙袋６内の内厚は上昇することなく、切断作業を継続する、あるいは繰り返す度に紙袋６内に切粉９が蓄積していく。
【００２８】
ボックス部５ｃは紙袋６内に蓄積された切粉９の重さを支え、紙袋６を外部衝撃から守り、破けたり、汚れたりするのを防止する働きをする。紙袋６内いっぱいに切粉９が蓄積したら取付け部５ｂからボックス部５ｃを取外し、ボックス部５ｃ内から紙袋６を取外し、紙袋６を交換することにより集塵効率を下げることなく、切断作業を継続することができるようになる。
【００２９】
取外した紙袋６は紙袋６内に蓄積した切粉９と共に廃棄することにより、切粉９を撒き散らすなどして作業現場を汚すことなく、切粉９の廃棄を行うことができる。
【００３０】
【発明の効果】
本発明によれば、切粉排出口と係合可能な筒形形状をした係合部と、係合部に対して移動不能に設けられた取付け部と、取付け部に対して着脱可能に設けられ、外壁に複数の切欠き窓を有したボックス部とからなり、ボックス部内部に適宜な目粗さを有した紙袋あるいは合成繊維製フィルター袋を着脱可能な集塵ボックスを切粉排出口に取付けることにより、容易に且つ作業現場を汚すことなく、切粉を集塵することができるようになる。
【図面の簡単な説明】
【図１】本発明集塵丸のこの一切断状態を示す正面図。
【図２】本発明集塵丸のこの一切断状態を示す上面図である。
【図３】本発明集塵ボックスの一実施形態を示す正面図。
【図４】図１の上面図。
【図５】図２のＡ−Ａ線断面図。
【図６】本発明を構成する係合部及び取付け部の一実施形態を示す正面図。
【図７】紙袋あるいはフィルター袋の一例を示す断面図。
【図８】本発明を構成するボックス部の一実施形態を示す正面図。
【図９】集塵丸のこに集塵機を取付け被切断材を切断している状態を示す説明図。
【図１０】従来の集塵丸のこの一例を示す正面図。
【図１１】図１０の上面図。
【図１２】従来の集塵丸のこの一例を示す正面図。
【符号の説明】
１は集塵丸のこ、２はのこ刃、３はベース、４はソーカバー、４ａは切粉排出口、５は集塵ボックス、５ａは係合部、５ｂは取付け部、５ｃはボックス部、５ｄは切欠き窓、５ｅはゴムリング、５ｆ、５ｇは係合部、６は紙袋あるいは合成繊維フィルター袋、９は切粉、１０は被切断材である。
【図１】
2005022338.tif 000003
【図２】
2005022338.tif 000004
【図３】
2005022338.tif 000005
【図４】
2005022338.tif 000006
【図５】
2005022338.tif 000007
【図６】
2005022338.tif 000008
【図７】
2005022338.tif 000009
【図８】
2005022338.tif 000010
【図９】
2005022338.tif 000011
【図１０】
2005022338.tif 000012
【図１１】
2005022338.tif 000013
【図１２】
2005022338.tif 000014